(57)【特許請求の範囲】
【請求項１】
家電製品本体に軸支されたドアに取り付けられている被掛止部材を掛止可能に当該家電製品本体に取り付けられると共に当該ドアが閉じた状態において当該被掛止部材を掛止することで当該ドアの開いた状態への移行を規制可能に構成された家電製品用ドアロック装置であって、
前記家電製品本体に固定されるベース部材と、
前記被掛止部材を掛止する爪部を有し、当該被掛止部材を掛止する掛止位置および当該被掛止部材の掛止を解除する解除位置に当該爪部を変位可能に前記ベース部材に取り付けられた掛止部材と、
前記掛止位置に前記爪部を位置させるように前記掛止部材を付勢する第１の付勢部材と、
前記被掛止部材が当接可能な被当接部を有し、前記掛止部材によって掛止された状態の当該被掛止部材の回動を規制する回動規制位置および当該被掛止部材の回動を許容する回動許容位置に当該被当接部を変位可能に前記ベース部材に取り付けられた回動規制部材と、
前記回動規制部材に当接可能な第１の当接部を有し、前記被掛止部材の回動を規制した状態の当該回動規制部材における前記被当接部の変位を規制する第１の変位規制位置および当該被当接部の変位を許容する第１の変位許容位置に当該第１の当接部を変位可能に前記ベース部材に取り付けられた第１の変位規制部材と、
前記掛止部材に当接可能な第２の当接部を有し、前記被掛止部材を掛止した状態の当該掛止部材における前記爪部の変位を規制する第２の変位規制位置および当該爪部の変位を許容する第２の変位許容位置に当該第２の当接部を変位可能に前記ベース部材に取り付けられた第２の変位規制部材とを備え、
前記ドアの開閉時に当該家電製品用ドアロック装置に対して前記被掛止部材が接離させられる第１の方向と交差する第１の軸線を回動中心として当該ドアに軸支された当該被掛止部材を前記爪部によって掛止可能に構成されると共に、
前記第１の当接部が前記第１の変位許容位置に変位させられ、かつ前記第２の当接部が前記第２の変位許容位置に変位させられた状態において前記被当接部が前記回動許容位置に変位させられることで、前記爪部による前記被掛止部材の掛止の解除を許容し、
前記被当接部が前記回動規制位置に変位させられている状態において、前記第１の当接部が前記第１の変位規制位置に変位させられ、かつ前記第２の当接部が前記第２の変位規制位置に変位させられることで、前記爪部による前記被掛止部材の掛止の解除を規制し、
前記被当接部が前記回動規制位置に変位させられている状態において、少なくとも前記第２の当接部が前記第２の変位許容位置に変位させられることで、前記第１の付勢部材による付勢力に抗して前記爪部が前記掛止位置から変位して当該爪部による前記被掛止部材の掛止を強制解除可能に構成されている家電製品用ドアロック装置。
【請求項２】
前記掛止部材は、前記第１の軸線と平行な第２の軸線を回動中心として前記ベース部材に対して回動させられることで前記掛止位置および前記解除位置に前記爪部を変位可能に構成されている請求項１記載の家電製品用ドアロック装置。
【請求項３】
前記回動規制部材は、前記第１の方向、および前記第１の軸線と平行な第２の方向の両方向に対して交差する第３の方向に沿って前記ベース部材に対してスライドさせられることで前記回動規制位置および前記回動許容位置に前記被当接部を変位可能に構成され、
前記第１の変位規制部材は、前記第２の軸線と平行で前記第３の方向に対して交差する第４の方向に沿って前記ベース部材に対してスライドさせられることで前記第１の変位規制位置および前記第１の変位許容位置に前記第１の当接部を変位可能に構成され、
前記第２の変位規制部材は、前記第４の方向に沿って前記ベース部材に対してスライドさせられることで前記第２の変位規制位置および前記第２の変位許容位置に前記第２の当接部を変位可能に構成されている請求項１または２記載の家電製品用ドアロック装置。
【請求項４】
前記第３の方向に沿って前記ベース部材に対してスライド可能に当該ベース部材に取り付けられて前記第１の付勢部材による付勢力を前記掛止部材に伝達する付勢力伝達部材を備えている請求項１から３のいずれかに記載の家電製品用ドアロック装置。
【請求項５】
前記被当接部を前記回動許容位置に位置させるように前記回動規制部材を付勢する第２の付勢部材を備えている請求項１から４のいずれかに記載の家電製品用ドアロック装置。
【請求項６】
前記第１の変位規制部材および前記第２の変位規制部材が一体化されている請求項１から５のいずれかに記載の家電製品用ドアロック装置。
【発明の詳細な説明】
【技術分野】
【０００１】
本発明は、家電製品本体に軸支されているドアの開いた状態への移行を規制可能な家電製品用ドアロック装置に関するものである。
【背景技術】
【０００２】
例えば、下記の特許文献に開示されている洗濯機では、ドアに配設されているフックが、洗濯機の本体部に配設されているドアスイッチ装置におけるフック挿入穴の口縁部および摺動部材によって挟み込まれた状態となってフック挿入穴からのフックの離脱が規制され、これにより、閉じた状態のドアが使用者によって不用意に開かれるのを阻止する構成が採用されている。
【０００３】
具体的には、この洗濯機では、ドアを閉めたときに、フック挿入穴に挿入されたフックがドアスイッチ装置内の摺動部材に設けられている凹部内に嵌入させられ、その状態においてドアを閉じる操作が継続されてフックが回動させられることによって摺動部材が摺動（スライド）させられる。この際には、フック挿入穴の口縁部と摺動部材の凹部における内側部との間にフックが挟まれた状態（ドアスイッチ装置によってフックが掛止された状態）となる。
【０００４】
また、上記のようにドアを閉めたときには、フックと一体に形成されている押し板部がドアスイッチ装置に設けられているドア開検知用穴に挿入され、ドア開検知用穴内のボタンが押し板部によって押されてドアが閉められたことが検出される。さらに、洗濯機を動作させるとき（洗濯を開始するとき）には、ドアスイッチ装置内の保持手段がソレノイドによってスライドさせられ、これにより、連結機構部品を介して突起部がスライドさせられて摺動部材のスライドが規制される。この摺動部材のスライドの規制によってフックの回動が規制されてドアスイッチ装置によるフックの掛止の解除が規制される結果、不用意にドアが開かれる事態が阻止される（ロック状態）。
【０００５】
また、洗濯機の動作が停止したとき（洗濯が完了したとき）には、ソレノイドによって保持手段が逆向きにスライドさせられて連結機構部品を介して突起部が逆向きにスライドさせられることにより、摺動部材のスライドの規制が解除される（スライドが許容される）。これにより、フックの回動が許容される結果、ドアスイッチ装置によるフックの掛止の解除が許容されてドアを開くことが可能となる（アンロック状態）。具体的には、摺動部材のスライドが許容された状態では、ドアを開くためにレバー（ドアレバー）が引かれたときにフックが回動させられ、これにより、ドアを閉めたときとは逆向きに摺動部材がスライドさせられる結果、ドアスイッチ装置によるフックの掛止が解除されてドアが開かれる。この際には、フック挿入穴からのフックの離脱に連動してドア開検知用穴から押し板部が離脱する結果、ドアが開かれたことが検出される。
【先行技術文献】
【特許文献】
【０００６】
【特許文献１】特開２０１４−１１３１８７号公報（第４−８頁、第１−６図）
【発明の概要】
【発明が解決しようとする課題】
【０００７】
ところが、上記特許文献に開示の洗濯機には、以下の改善すべき課題が存在する。すなわち、上記特許文献に開示の洗濯機では、摺動部材のスライドが許容されている状態においてドアレバーの操作によってフックを回動させることでドアスイッチ装置によるフックの掛止を解除させてドアを開くことができるように構成されている。この場合、近年の洗濯機では、洗濯物を容易に出し入れ可能とするために、洗濯物の出入口が大きく開口されている。このため、洗濯機のドアを開いた状態で放置したときに、幼児やペットなどが洗濯物の出入口から洗濯機内に侵入するおそれがある。
【０００８】
また、例えばドラム式の洗濯機では、洗濯物の出入口が本体部の正面側に設けられることが多く、かかる洗濯機では、洗濯中に洗濯物や洗浄水等がドアの内面に当接してドアが開いてしまうの阻止するために、ドアロック装置（上記の洗濯機におけるドアスイッチ装置）による被掛止部材（上記の洗濯機におけるフック）の掛止力を十分に強くする必要がある。このため、上記の洗濯機の構成では、幼児等が洗濯機内に侵入した状態でドアが閉まってしまったときに、洗濯機の内側からドアノブを操作してドアを開くことができないだけでなく、ドアスイッチ装置によるフックの掛止力が非常に強いため、ドアの内面を外向きに押してドアを開くことも困難となっている。
【０００９】
この場合、上記の特許文献に開示の洗濯機では、上記のような緊急事態に際してフックを破損させるような非常に強い力でドアの内面を外向きに押してドアを開いた際に、ドア開検知用穴内のボタンを押している押し板部をドア開検知用穴からスムーズに離脱させることでドアが開かれたことを確実に検出する工夫が成されている。しかしながら、フックを破損させるような強い力でドアを押すのが困難な幼児は、ドアを開くことができない。また、ドアを開くことができたとしても、破損させたフックを交換する修理が必要となる。したがって、これらの点を改善するのが好ましい。
【００１０】
本発明は、かかる改善すべき課題に鑑みてなされたものであり、家電製品の動作中などにドアが不用意に開くことを阻止しつつ、家電製品の非動作中などに内側からドアを容易に開くことができ、しかも、内側からドアを開いた際に機器の破損を招くことがない家電製品用ドアロック装置を提供することを主目的とする。
【課題を解決するための手段】
【００１１】
上記目的を達成すべく、請求項１記載の家電製品用ドアロック装置は、家電製品本体に軸支されたドアに取り付けられている被掛止部材を掛止可能に当該家電製品本体に取り付けられると共に当該ドアが閉じた状態において当該被掛止部材を掛止することで当該ドアの開いた状態への移行を規制可能に構成された家電製品用ドアロック装置であって、前記家電製品本体に固定されるベース部材と、前記被掛止部材を掛止する爪部を有し、当該被掛止部材を掛止する掛止位置および当該被掛止部材の掛止を解除する解除位置に当該爪部を変位可能に前記ベース部材に取り付けられた掛止部材と、前記掛止位置に前記爪部を位置させるように前記掛止部材を付勢する第１の付勢部材と、前記被掛止部材が当接可能な被当接部を有し、前記掛止部材によって掛止された状態の当該被掛止部材の回動を規制する回動規制位置および当該被掛止部材の回動を許容する回動許容位置に当該被当接部を変位可能に前記ベース部材に取り付けられた回動規制部材と、前記回動規制部材に当接可能な第１の当接部を有し、前記被掛止部材の回動を規制した状態の当該回動規制部材における前記被当接部の変位を規制する第１の変位規制位置および当該被当接部の変位を許容する第１の変位許容位置に当該第１の当接部を変位可能に前記ベース部材に取り付けられた第１の変位規制部材と、前記掛止部材に当接可能な第２の当接部を有し、前記被掛止部材を掛止した状態の当該掛止部材における前記爪部の変位を規制する第２の変位規制位置および当該爪部の変位を許容する第２の変位許容位置に当該第２の当接部を変位可能に前記ベース部材に取り付けられた第２の変位規制部材とを備え、前記ドアの開閉時に当該家電製品用ドアロック装置に対して前記被掛止部材が接離させられる第１の方向と交差する第１の軸線を回動中心として当該ドアに軸支された当該被掛止部材を前記爪部によって掛止可能に構成されると共に、前記第１の当接部が前記第１の変位許容位置に変位させられ、かつ前記第２の当接部が前記第２の変位許容位置に変位させられた状態において前記被当接部が前記回動許容位置に変位させられることで、前記爪部による前記被掛止部材の掛止の解除を許容し、前記被当接部が前記回動規制位置に変位させられている状態において、前記第１の当接部が前記第１の変位規制位置に変位させられ、かつ前記第２の当接部が前記第２の変位規制位置に変位させられることで、前記爪部による前記被掛止部材の掛止の解除を規制し、前記被当接部が前記回動規制位置に変位させられている状態において、少なくとも前記第２の当接部が前記第２の変位許容位置に変位させられることで、前記第１の付勢部材による付勢力に抗して前記爪部が前記掛止位置から変位して当該爪部による前記被掛止部材の掛止を強制解除可能に構成されている。
【００１２】
請求項２記載の家電製品用ドアロック装置は、請求項１記載の家電製品用ドアロック装置において、前記掛止部材は、前記第１の軸線と平行な第２の軸線を回動中心として前記ベース部材に対して回動させられることで前記掛止位置および前記解除位置に前記爪部を変位可能に構成されている。
【００１３】
請求項３記載の家電製品用ドアロック装置は、請求項１または２記載の家電製品用ドアロック装置において、前記回動規制部材は、前記第１の方向、および前記第１の軸線と平行な第２の方向の両方向に対して交差する第３の方向に沿って前記ベース部材に対してスライドさせられることで前記回動規制位置および前記回動許容位置に前記被当接部を変位可能に構成され、前記第１の変位規制部材は、前記第２の軸線と平行で前記第３の方向に対して交差する第４の方向に沿って前記ベース部材に対してスライドさせられることで前記第１の変位規制位置および前記第１の変位許容位置に前記第１の当接部を変位可能に構成され、前記第２の変位規制部材は、前記第４の方向に沿って前記ベース部材に対してスライドさせられることで前記第２の変位規制位置および前記第２の変位許容位置に前記第２の当接部を変位可能に構成されている。
【００１４】
請求項４記載の家電製品用ドアロック装置は、請求項１から３のいずれかに記載の家電製品用ドアロック装置において、前記第３の方向に沿って前記ベース部材に対してスライド可能に当該ベース部材に取り付けられて前記第１の付勢部材による付勢力を前記掛止部材に伝達する付勢力伝達部材を備えている。
【００１５】
請求項５記載の家電製品用ドアロック装置は、請求項１から４のいずれかに記載の家電製品用ドアロック装置において、前記被当接部を前記回動許容位置に位置させるように前記回動規制部材を付勢する第２の付勢部材を備えている。
【００１６】
請求項６記載の家電製品用ドアロック装置は、請求項１から５のいずれかに記載の家電製品用ドアロック装置において、前記第１の変位規制部材および前記第２の変位規制部材が一体化されている。
【発明の効果】
【００１７】
請求項１記載の家電製品用ドアロック装置では、第１の変位規制部材における第１の当接部が第１の変位許容位置に変位させられ、かつ第２の変位規制部材における第２の当接部が第２の変位許容位置に変位させられた状態において回動規制部材における被当接部が回動許容位置に変位させられることで、爪部による被掛止部材の掛止の解除を許容し、被当接部が回動規制位置に変位させられている状態において、第１の当接部が第１の変位規制位置に変位させられ、かつ第２の当接部が第２の変位規制位置に変位させられることで、爪部による被掛止部材の掛止の解除を規制すると共に、被当接部が回動規制位置に変位させられている状態において、少なくとも第２の当接部が第２の変位許容位置に変位させられることで、第１の付勢部材による付勢力に抗して掛止部材における爪部が掛止位置から変位して爪部による被掛止部材の掛止を強制解除可能に構成されている。
【００１８】
したがって、請求項１記載の家電製品用ドアロック装置によれば、家電製品を動作させるときに、被当接部を回動規制位置に変位させ、第１の当接部を第１の変位規制位置に変位させ、かつ第２の当接部を第２の変位規制位置に変位させることで、爪部による被掛止部材の掛止の解除を規制できるため、動作中にドアが不用意に開くことを確実に阻止することができ、家電製品を停止させているときに、被当接部を回動規制位置に変位させ、少なくとも第２の当接部を第２の変位許容位置に変位させることで、第１の付勢部材による付勢力に抗して爪部が掛止位置から変位して爪部による被掛止部材の掛止を強制解除することができるため、例えば非動作中に幼児などが誤って家電製品本体内に侵入したとしても、家電製品本体の内側から外側に向けてドアを押すだけで、被掛止部材等を破損させることなく、容易にドアを開くことができる。
【００１９】
請求項２記載の家電製品用ドアロック装置によれば、被掛止部材の回動中心である第１の軸線と平行な第２の軸線を回動中心としてベース部材に対して回動させられることで掛止位置および解除位置に爪部を変位可能に掛止部材を構成したことにより、掛止部材による被掛止部材の掛止の強制解除に際して被掛止部材が移動する向きの力が掛止部材に加わったときに掛止部材が回動するため、被掛止部材の移動によって過剰に大きな応力が掛止部材（爪部）に加わる事態を回避できる結果、掛止部材（爪部）の破損を好適に回避することができる。
【００２０】
請求項３記載の家電製品用ドアロック装置では、回動規制部材が、ドアの開閉時に家電製品用ドアロック装置に対して前記被掛止部材が接離させられる第１の方向、および第１の軸線と平行な第２の方向の両方向に対して交差する第３の方向に沿ってベース部材に対してスライドさせられることで回動規制位置および回動許容位置に被当接部を変位可能に構成され、第１の変位規制部材が、第２の軸線と平行で第３の方向に対して交差する第４の方向に沿ってベース部材に対してスライドさせられることで第１の変位規制位置および第１の変位許容位置に第１の当接部を変位可能に構成され、第２の変位規制部材が、第４の方向に沿ってベース部材に対してスライドさせられることで第２の変位規制位置および第２の変位許容位置に第２の当接部を変位可能に構成されている。
【００２１】
したがって、請求項３記載の家電製品用ドアロック装置によれば、例えば、回動規制部材の回動によって被当接部を変位させる構成、第１の変位規制部材の回動によって第１の当接部を変位させる構成、および第２の変位規制部材の回動によって第２の当接部を変位させる構成を採用する場合には、これらの部材を回動させる広いスペースが必要となるのに対し、回動規制部材、第１の変位規制部材および第２の変位規制部材をある程度薄厚に形成することで、これらのスライドに要するスペースを十分に狭くすることができるため、家電製品用ドアロック装置を十分に小形化することができる。
【００２２】
請求項４記載の家電製品用ドアロック装置によれば、第３の方向に沿ってベース部材に対してスライド可能にベース部材に取り付けられて第１の付勢部材による付勢力を掛止部材に伝達する付勢力伝達部材を備えたことにより、第１の付勢部材が、掛止位置に爪部を位置させた状態を維持できる十分な付勢力を有している必要があることから小さな付勢部材で構成するのが困難であるため、付勢力伝達部材を介さずに第１の付勢部材によって掛止部材を直接付勢する構成を採用する場合には、掛止部材の近傍に大きな付勢部材（第１の付勢部材）を配置することに起因してドアロック装置の小形化が困難となるのに対し、付勢力伝達部材の存在により、掛止部材から第１の付勢部材を離間させて配置することができるため、家電製品用ドアロック装置の大形化を招くことがない任意の位置に第１の付勢部材を配置することができる結果、家電製品用ドアロック装置を十分に小形化することができる。
【００２３】
請求項５記載の家電製品用ドアロック装置によれば、被当接部を回動許容位置に位置させるように回動規制部材を付勢する第２の付勢部材を備えたことにより、被掛止部材が掛止部材によって掛止されていない状態において被当接部を回動許容位置に位置させた状態を維持することができるため、ベース部材に対して回動規制部材にがた付きが生じる事態を好適に回避できるだけでなく、ドアを閉めた際に家電製品用ドアロック装置に対する被掛止部材の進入が被当接部によって妨げられることがないため、スムーズにドアを閉めることができる。
【００２４】
請求項６記載の家電製品用ドアロック装置によれば、第１の変位規制部材および第２の変位規制部材が一体化したことにより、第１の変位規制部材および第２の変位規制部材を別個に形成した構成とは異なり、両者を一体化した規制部材を移動させる１つの動力源を備えるだけで、第１の当接部および第２の当接部の双方を任意の位置に変位させることができる。これにより、家電製品用ドアロック装置を一層小形化することができると共に、その製造コストを十分に低減することができる。
【図面の簡単な説明】
【００２５】
【図１】ドアロック装置１および被掛止部材２の外観斜視図である。
【図２】ドアロック装置１の正面図である。
【図３】ドアロック装置１の分解斜視図である。
【図４】蓋部１０ｂを取り外した状態におけるドアロック装置１の正面図である。
【図５】掛止部材１１、規制部材１２、付勢力伝達部材１５および規制部材１６の外観斜視図である。
【図６】ドアロック装置１による被掛止部材２の掛止および掛止の解除について説明するための断面図である。
【図７】ドアロック装置１による被掛止部材２の掛止および掛止の解除について説明するための他の断面図である。
【図８】ドアロック装置１による被掛止部材２の掛止および掛止の解除について説明するためのさらに他の断面図である。
【図９】ドアロック装置１による被掛止部材２の掛止および掛止の解除について説明するためのさらに他の断面図である。
【図１０】規制部材１２のスライドおよび掛止部材１１の回動を許容している状態の内部機構を示す外観斜視図である。
【図１１】規制部材１２のスライドおよび掛止部材１１の回動を規制している状態の内部機構を示す外観斜視図である。
【図１２】ドアロック装置１による被掛止部材２の強制掛止解除について説明するための断面図である。
【発明を実施するための形態】
【００２６】
以下、本発明に係る家電製品用ドアロック装置の実施の形態について、添付図面を参照して説明する。
【００２７】
最初にドアロック装置１の構成について添付図面を参照して説明する。
【００２８】
図１，２に示すドアロック装置１は、「家電製品用ドアロック装置」の一例である洗濯機用の「ドアロック装置」であって、図示しない洗濯機の本体部（「家電製品本体」の一例：以下、「洗濯機本体」ともいう）に取り付けられると共に、洗濯機本体に軸支されたドアに取り付けられている被掛止部材２を掛止することで閉じているドアが開いた状態に移行するのを規制することができるように構成されている。
【００２９】
この場合、被掛止部材２は、「被掛止部材」の一例であって、ドアの開閉時にドアロック装置１に対して被掛止部材２が接離させられる矢印Ａ１，Ａ２の方向（「第１の方向」の一例：図１参照」と交差する軸線Ｌ１（「第１の軸線」の一例：図１参照」を回動中心として可能にドアに軸支されると共に、図示しないスプリングによって図６〜９，１２に示す矢印Ｆ１の向きに付勢されている。また、被掛止部材２は、図示しないドアノブを引く操作によって軸線Ｌ１を回動中心として図６〜９，１２に示す矢印Ｆ２の向きに回動させることができるようにドアに取り付けられている。
【００３０】
一方、図３，４に示すように、ドアロック装置１は、ケーシング１０、掛止部材１１、規制部材１２，１６、付勢部材１３，１４，１７、付勢力伝達部材１５、アクチュエータ１８および検出用スイッチ１９などを備えて構成されている。ケーシング１０は、「ベース部材」の一例であって、ドアロック装置１を洗濯機本体に固定するためのフックが形成された基部１０ａおよび蓋部１０ｂ（図１〜３参照）と、基部１０ａに蓋部１０ｂを固定する固定用ねじ１０ｃ（図３参照）とを備えている。この場合、図１〜３に示すように、蓋部１０ｂには、被掛止部材２の挿通が可能な挿通孔Ｈが形成されている。
【００３１】
掛止部材１１は、「掛止部材」の一例であって、図５に示すように、ケーシング１０に軸支させるための回動軸２１、被掛止部材２の先端部２ａ（図１，２参照）を掛止する爪部２２、および後述するように掛止部材１１の回動を規制する規制部材１６が当接可能な延出部２３が一体形成されている。この掛止部材１１は、被掛止部材２の上記の軸線Ｌ１と平行な軸線Ｌ２（「第２の軸線」の一例」）を回動中心として回動可能に回動軸２１が基部１０ａおよび蓋部１０ｂの間に挟み込まれるようにしてケーシング１０内に収容されている。また、掛止部材１１は、軸線Ｌ２を回動中心として回動させられることにより、被掛止部材２を掛止する「掛止位置（図６〜９参照）」、および被掛止部材２の掛止を解除する「解除位置（図１２参照）」に爪部２２を変位させる（爪部２２を位置させる）ことができるようにケーシング１０に取り付けられている（「回動」によって「爪部」を変位させる構成の例）。
【００３２】
規制部材１２は、「回動規制部材」の一例であって、図５に示すように、被掛止部材２の先端部２ａが嵌入される凹部３１と、規制部材１６が挿入される切欠き部３２とが形成されると共に、ケーシング１０に対してスライド可能に取り付けられている。なお、本例の規制部材１２では、凹部３１の内壁部３１ｂが「被当接部」に相当する。この規制部材１２は、上記の矢印Ａ１，Ａ２の方向と、軸線Ｌ１と平行な「第２の方向（図４に示す矢印Ｂの方向）」との両方向に対して交差する「第３の方向（図４に示す矢印Ｃ１，Ｃ２の方向）」に沿ってスライドさせられることにより、掛止部材１１によって掛止された状態の被掛止部材２の回動を規制する「回動規制位置（図９，１２参照）」、および被掛止部材２の回動を許容する「回動許容位置（図６参照）」に内壁部３１ｂを変位させることができるようにケーシング１０に取り付けられている（「スライド」によって「被当接部」を変位させる構成の例）。
【００３３】
付勢部材１３は、「第２の付勢部材」に相当し、一例としてコイルスプリングで構成されると共に、「被当接部」としての内壁部３１ｂを上記の「回動許容位置」に位置させるように規制部材１２を矢印Ｃ１の向き（図４〜９参照）に付勢する。付勢部材１４は、「第１の付勢部材」に相当し、一例としてコイルスプリングで構成されると共に、上記の「掛止位置」に爪部２２を位置させるように掛止部材１１を付勢する。具体的には、本例のドアロック装置１では、付勢力伝達部材１５が付勢部材１４によって矢印Ｃ２の向きに付勢されて、付勢部材１４の付勢力が付勢力伝達部材１５を介して掛止部材１１に伝達され、これにより、掛止部材１１が図６に示す矢印Ｅ２の向きに付勢される構成が採用されている。この場合、付勢力伝達部材１５は、「付勢力伝達部材」の一例であって、上記の「第３の方向（矢印Ｃ１，Ｃ２の方向）」に沿ってスライド可能にケーシング１０に取り付けられている。
【００３４】
規制部材１６は、「第１の変位規制部材」および「第２の変位規制部材」が一体化された部材であって、図５に示すように、規制部材１２の切欠き部３２における内縁部に当接可能な「第１の当接部」に相当する当接部４１と、掛止部材１１の延出部２３に当接可能な「第２の当接部」に相当する当接部４２と、アクチュエータ１８に連結するための連結部４３とが形成されている。この規制部材１６は、図４，１０，１１に示すように、上記の軸線Ｌ２（第２の軸線）と平行で矢印Ｃ１，Ｃ２の方向（第３の方向）に対して交差する矢印Ｄ１，Ｄ２の方向（「第４の方向」の一例）に沿ってスライド可能にケーシング１０に取り付けられると共に、連結部４３がアクチュエータ１８に連結されている。
【００３５】
これにより、本例のドアロック装置１では、後述するように、規制部材１６がアクチュエータ１８によって矢印Ｄ２の向きにスライドさせられることにより、図１１に示すように、規制部材１２における切欠き部３２の内縁部に規制部材１６の当接部４１が当接して規制部材１２のスライドが規制され、これにより、被掛止部材２の回動を規制している状態の規制部材１２における凹部３１（内壁部３１ｂ）の変位を規制する「第１の変位規制位置」に当接部４１が位置させられると共に、掛止部材１１の延出部２３に規制部材１６の当接部４２が当接して掛止部材１１の回動が規制され、これにより、被掛止部材２を掛止している状態の掛止部材１１における爪部２２の変位を規制する「第２の変位規制位置」に当接部４２が位置させられる。
【００３６】
また、本例のドアロック装置１では、後述するように付勢部材１７の付勢力によって規制部材１６が矢印Ｄ１の向きにスライドさせられることにより、図１０に示すように、規制部材１２における切欠き部３２の内縁部に対する規制部材１６における当接部４１の当接が解除されて規制部材１２のスライドが許容され、これにより、規制部材１２における凹部３１（内壁部３１ｂ）の変位が許容される「第１の変位許容位置」に当接部４１が位置させられると共に、掛止部材１１の延出部２３に対する規制部材１６における当接部４２の当接が解除されて掛止部材１１の回動が規制され、これにより、掛止部材１１における爪部２２の変位が許容される「第２の変位許容位置」に当接部４２が位置させられる。
【００３７】
付勢部材１７は、図１０，１１に示す矢印Ｄ１の向きで規制部材１６を付勢することでケーシング１０に対して規制部材１６をスライドさせ、当接部４１を「第１の変位許容位置」に位置させると共に当接部４２を「第１の変位許容位置」に位置させる。また、アクチュエータ１８は、動力源としてのソレノイドが洗濯機の制御装置に接続されており、制御装置の制御下で規制部材１６を矢印Ｄ２の向きにスライドさせることで当接部４１を「第１の変位規制位置」に位置させると共に当接部４２を「第１の変位規制位置」に位置させる。
【００３８】
この場合、上記の構成に代えてアクチュエータ１８によって規制部材１６を矢印Ｄ１の向き、および矢印Ｄ２の向きの双方にスライドさせる構成を採用することで、付勢部材１７を不要とすることが可能となる。しかしながら、かかる構成を採用した場合には、当接部４１が「第１の変位規制位置」に位置すると共に当接部４２が「第２の変位規制位置」に位置するように規制部材１６がスライドさせられている状態において制御装置の故障や停電が生じたときに、当接部４１，４２を「第１の変位許容位置」および「第２の変位許容位置」に位置させるように規制部材１６をスライドさせることができなくなる結果、ドアを開くことができなくなってしまうおそれがある。したがって、本例のドアロック装置１における付勢部材１７のように「電源を必要としない力」によって当接部４１，４２を「第１の変位許容位置」および「第２の変位許容位置」に位置させるように規制部材１６をスライドさせる構成を採用するのが好ましい。
【００３９】
検出用スイッチ１９は、洗濯機の制御装置に接続され、規制部材１６の当接部４１，４２が、「第１の変位規制位置」および「第２の変位規制位置」と、「第１の変位許容位置」および「第２の変位許容位置」とのいずれに位置しているかを検出して検出信号を出力する。この場合、本例のドアロック装置１では、一例として、当接部４１，４２が「第１の変位規制位置」および「第２の変位規制位置」に位置させられた状態において当接部４１によって検出用スイッチ１９がオン操作される構成が採用されている。
【００４０】
次に、ドアロック装置１によるドアのロックおよびアンロックについて添付図面を参照して説明する。
【００４１】
このドアロック装置１では、ドアが開いた状態、すなわち、ドアに取り付けられている被掛止部材２がドアロック装置１によって掛止されていない状態において、図６に示すように、付勢部材１４の付勢力によって掛止部材１１が矢印Ｅ２の向きに回動させられた状態となり、これにより、掛止部材１１の爪部２２が「掛止位置（図９に示す状態と同じ位置）」に位置させられると共に、付勢部材１３の付勢力によって規制部材１２が矢印Ｃ１の向きにスライドさせられた状態となり、これにより、凹部３１の内壁部３１ｂが「回動許容位置」に位置させられた状態となっている。また、ドアが開いていることで洗濯機が非動作状態となっているこの時点においては、図１０に示すように、付勢部材１７の付勢力によって規制部材１６が矢印Ｄ１の向きにスライドさせられた状態となり、これにより、当接部４１が「第１の変位許容位置」に位置させられて規制部材１２のスライドが許容されると共に、当接部４２が「第２の変位許容位置」に位置させられて掛止部材１１の回動が許容された状態となっている。
【００４２】
このような状態において、一例として、前述したドアノブを操作せずにドアを閉めようとしたときには、図６に示すように、被掛止部材２がドアロック装置１に対して矢印Ａ１の向きで接近させられて先端部２ａが蓋部１０ｂの挿通孔Ｈを挿通させられ、ケーシング１０内に収容されている規制部材１２に当接する。この際に、本例のドアロック装置１では、規制部材１２に設けられた凹部３１における内壁部３１ａの口縁部側（同図における上側：挿通孔Ｈへの被掛止部材２の進入方向とは逆側）が、凹部３１の底部に向かうほど内壁部３１ｂに近づくような斜面に形成されている。したがって、被掛止部材２を矢印Ａ１の向きでさらに移動させようとする力が加えられたときに、被掛止部材２が内壁部３１ａの案内に従って軸線Ｌ１を回動中心として矢印Ｆ２の向きで回動させられる。なお、同図および図７〜９，１２では、軸線Ｌ１の位置を点Ｐ１で示すと共に、前述した軸線Ｌ２の位置を点Ｐ２で示している。
【００４３】
この場合、前述したように、被掛止部材２は、図示しないスプリングによって矢印Ｆ１の向きに付勢されている。したがって、被掛止部材２が内壁部３１ａや掛止部材１１の爪部２２の案内に従って矢印Ｆ２の向きに回動させられるときには、図７に示すように、被掛止部材２を矢印Ｆ１の向きに復帰させようとする力によって規制部材１２が付勢部材１４の付勢力に抗して矢印Ｃ２の向きにスライドさせられる。これにより、被掛止部材２の先端部２ａが規制部材１２の凹部３１における内壁部３１ａと、掛止部材１１の爪部２２との双方に接した状態となる。また、被掛止部材２が矢印Ａ１の向きにさらに移動させられたときには、図８に示すように、被掛止部材２の先端部２ａにおける孔２ｈに掛止部材１１の爪部２２が嵌まり込むようにして被掛止部材２が矢印Ｆ１の向きに回動する。
【００４４】
この際には、被掛止部材２の回動に伴って規制部材１２が矢印Ｃ２の向きにさらにスライドさせられて、図９に示すように、凹部３１の内壁部３１ｂが「回動規制位置」に位置した状態となる。また、内壁部３１ｂが「回動規制位置」に位置した状態では、被掛止部材２の孔２ｈに掛止部材１１の爪部２２が十分に挿入され、爪部２２によって被掛止部材２が掛止された状態となる。これにより、被掛止部材２が矢印Ａ２の向きでドアロック装置１（挿通孔Ｈ）から離脱する事態が回避され、ドアから手を離しても、ドアを閉めた状態が維持される。
【００４５】
しかしながら、単にドアを閉めただけで洗濯を開始していない（洗濯機が非動作状態である）この時点においては、ドアを開けたとしても、洗濯機から洗濯物や洗浄水が飛び出したり、利用者の手が洗濯中の洗濯物等に巻き込まれたりするおそれがない。このため、このドアロック装置１では、掛止部材１１（爪部２２）による被掛止部材２の掛止が完了したこの時点（洗濯機が非動作状態のとき）においては、掛止部材１１（爪部２２）による被掛止部材２の掛止の解除が許容された状態となっている。具体的には、洗濯機が非動作状態であることで、図１０に示すように、付勢部材１７の付勢力によって規制部材１６が矢印Ｄ１の向きにスライドさせられて当接部４１，４２が「第１の変位許容位置」および「第２の変位許容位置」に位置させられているため、規制部材１２の矢印Ｃ１の向きへのスライドや、掛止部材１１の矢印Ｅ１への回動が許容された状態となっている。
【００４６】
したがって、図９に示すように被掛止部材２が掛止部材１１によって掛止されている状態において、ドアノブの操作によって軸線Ｌ１を回動中心として被掛止部材２を矢印Ｆ２の向きで回動させようとする力が加えられたときには、まず、被掛止部材２の先端部２ａが規制部材１２の凹部３１における内壁部３１ｂに当接し、図８に示すように、規制部材１２が矢印Ｃ１の向きにスライドさせられる。また、被掛止部材２の矢印Ｆ２の向きへの回動に伴って規制部材１２が矢印Ｃ１の向きに十分にスライドさせられて、被掛止部材２の先端部２ａにおける挿通孔Ｈから掛止部材１１の爪部２２が離脱したときには、掛止部材１１（爪部２２）による被掛止部材２の掛止が解除され、被掛止部材２を矢印Ａ２の向きに移動させる（すなわち、ドアを開く）ことが可能となる。この後、図６に示すように、被掛止部材２の先端部２ａがドアロック装置１（ケーシング１０における蓋部１０ｂ）の挿通孔Ｈから離脱して、ドアが開いた状態となる。
【００４７】
なお、ドアノブの操作によって被掛止部材２を矢印Ｆ２の向きへ十分に回動させてからドアを開いたときには、上記のように、掛止部材１１（爪部２２）による被掛止部材２の掛止が解除されてから、被掛止部材２が矢印Ａ２の向きで挿通孔Ｈから離脱する。しかしながら、ドアノブの操作中（被掛止部材２が矢印Ｆ２の向きに十分に回動させられていない状態）においてドアを開こうとしたとき、すなわち、掛止部材１１（爪部２２）による被掛止部材２の掛止が解除される以前にドアを開こうとしたときには、後述するように掛止部材１１による被掛止部材２の掛止を強制解除するときと同様にして、掛止部材１１が付勢部材１４の付勢力に抗して矢印Ｅ１の向きに回動させられる。これにより、掛止部材１１（爪部２２）や被掛止部材２（先端部２ａ）の破損が好適に回避される。
【００４８】
一方、ドアが閉められて、図９に示すように被掛止部材２が掛止部材１１（爪部２２）によって掛止されている状態において洗濯が開始されるときには、洗濯機の制御装置の制御に従い、アクチュエータ１８が図４に示す矢印Ｄ２の向きで規制部材１６をスライドさせる。この際には、図１１に示すように、規制部材１６の当接部４１が「第１の変位規制位置」に位置させられて規制部材１２の切欠き部３２における内縁部に当接することで矢印Ｃ１の向きへの規制部材１２のスライドが規制されると共に、規制部材１６の当接部４２が「第２の変位規制位置」に位置させられて掛止部材１１の延出部２３に当接することで矢印Ｅ１の向きへの掛止部材１１の回動が規制された状態となる。
【００４９】
したがって、上記のようなドアノブの操作によって図９に示す矢印Ｆ２の向きで被掛止部材２を回動させようとしても、規制部材１６（当接部４１）によって矢印Ｃ１の向きへのスライドが規制されている規制部材１２の凹部３１における内壁部３１ｂに被掛止部材２が当接して被掛止部材２の回動が規制される。また、規制部材１６の当接部４２が「第２の変位規制位置」に位置させられているこの状態では、規制部材１２によって回動が規制されている被掛止部材２を矢印Ａ２の向きで移動させようとする力が加えられたとしても、掛止部材１１が矢印Ｅ１の向きで回動するのも阻止される。
【００５０】
これにより、掛止部材１１による被掛止部材２の掛止の解除が規制されて掛止状態が維持され、ドアが開かれる事態が確実に阻止される。また、本例のドアロック装置１では、規制部材１６が矢印Ｄ２の向きにスライドさせられて掛止部材１１による被掛止部材２の掛止の解除が規制されている（ドアがロックされている）ことが検出用スイッチ１９によって検出される。したがって、洗濯機の制御装置は、検出用スイッチ１９からの信号によってドアがロックされていると判別したときに洗濯を開始する。これにより、ドアが開いて洗濯機から洗濯物や洗浄水が飛び出したり、不用意にドアが開かれて利用者の手が洗濯中の洗濯物等に巻き込まれたりする事態を招くことなく、洗濯を行うことができる。
【００５１】
また、本例のドアロック装置１では、非動状態の洗濯機のドアが閉められた状態において、洗濯機本体の内側からドアを強制的に開くことが可能となっている。具体的には、一例として、洗濯機本体内に幼児などが侵入した状態でドアが閉まり、図９に示すように掛止部材１１によって被掛止部材２が掛止された状態において、幼児などが洗濯機本体内から脱出しようとするときには、矢印Ａ２の向きでドアが内側から押されることとなる。この際には、ドアノブの操作によってドアを開くときとは異なり、被掛止部材２が、回動させられることなく、矢印Ａ２の向きで移動させられる結果、孔２ｈに挿入されている爪部２２が被掛止部材２と共に矢印Ａ２の向きで移動しようとする力が掛止部材１１に加わり、これにより、図１２に示すように、付勢部材１４による付勢力に抗して掛止部材１１が矢印Ｅ１の向きに回動させられる。
【００５２】
この結果、掛止部材１１が矢印Ｅ１の向きで十分に回動させられて爪部２２が「解除位置」に位置させられたときに、掛止部材１１（爪部２２）による被掛止部材２の掛止が強制解除される。これにより、図６に示すように、挿通孔Ｈから被掛止部材２が離脱してドアが開かれるため、洗濯機本体内から容易に脱出することができる。また、被掛止部材２が挿通孔Ｈから離脱した状態においては、同図に示すように、付勢部材１４による付勢力によって掛止部材１１が矢印Ｅ２の向きに回動させられて爪部２２が「掛止位置」に位置させられた状態となる。したがって、ドアを強制的に開いた後（被掛止部材２の掛止を強制解除した後）にも、掛止部材１１によって被掛止部材２を再び掛止することができる。
【００５３】
このように、このドアロック装置１では、規制部材１６の当接部４１が「第１の変位許容位置」に変位させられ、かつ当接部４２が「第２の変位許容位置」に変位させられた状態において規制部材１２における凹部３１の内壁部３１ｂが「回動許容位置」に変位させられることで、掛止部材１１の爪部２２による被掛止部材２の掛止の解除を許容し、凹部３１の内壁部３１ｂが「回動規制位置」に変位させられている状態において、当接部４１が「第１の変位規制位置」に変位させられ、かつ当接部４２が「第２の変位規制位置」に変位させられることで、爪部２２による被掛止部材２の掛止の解除を規制すると共に、凹部３１の内壁部３１ｂが「回動規制位置」に変位させられている状態において、少なくとも当接部４２が「第２の変位許容位置」に変位させられることで、付勢部材１４による付勢力に抗して爪部２２が「掛止位置」から変位して爪部２２による被掛止部材２の掛止を強制解除可能に構成されている。
【００５４】
したがって、このドアロック装置１によれば、洗濯機を動作させるときに、凹部３１の内壁部３１ｂを「回動規制位置」に変位させ、当接部４１を「第１の変位規制位置」に変位させ、かつ当接部４２を「第２の変位規制位置」に変位させることで、爪部２２による被掛止部材２の掛止の解除を規制できるため、動作中にドアが不用意に開くことを確実に阻止することができ、洗濯機を停止させているときに、凹部３１の内壁部３１ｂを「回動規制位置」に変位させ、少なくとも当接部４２を「第２の変位許容位置」に変位させることで、付勢部材１４による付勢力に抗して爪部２２が「掛止位置」から変位して爪部２２による被掛止部材２の掛止を強制解除することができるため、例えば非動作中に幼児などが誤って洗濯機本体内に侵入したとしても、洗濯機本体の内側から外側に向けてドアを押すだけで、被掛止部材２等を破損させることなく、容易にドアを開くことができる。
【００５５】
また、このドアロック装置１によれば、被掛止部材２の回動中心である軸線Ｌ１と平行な軸線Ｌ２を回動中心としてケーシング１０に対して回動させられることで「掛止位置」および「解除位置」に爪部２２を変位可能に掛止部材１１を構成したことにより、掛止部材１１による被掛止部材２の掛止の強制解除に際して被掛止部材２が移動する向き（上記の例では、矢印Ａ２の向き）の力が掛止部材１１に加わったときに掛止部材１１が回動するため、被掛止部材２の移動によって過剰に大きな応力が掛止部材１１（爪部２２）に加わる事態を回避できる結果、掛止部材１１（爪部２２）の破損を好適に回避することができる。
【００５６】
さらに、このドアロック装置１では、規制部材１２が、ドアの開閉時にドアロック装置１に対して被掛止部材２が接離させられる矢印Ａ１，Ａ２の方向、および軸線Ｌ２と平行な矢印Ｂの方向の両方向に対して交差する矢印Ｃ１，Ｃ２の方向に沿ってケーシング１０に対してスライドさせられることで「回動規制位置」および「回動許容位置」に凹部３１の内壁部３１ｂを変位可能に構成され、規制部材１６が、軸線Ｌ２と平行で矢印Ｃ１，Ｃ２の方向に対して交差する矢印Ｄ１，Ｄ２の方向に沿ってケーシング１０に対してスライドさせられることで、「第１の変位規制位置」および「第１の変位許容位置」に当接部４１を変位させ、かつ「第２の変位規制位置」および「第２の変位許容位置」に当接部４２を変位させることができるように構成されている。
【００５７】
したがって、このドアロック装置１によれば、例えば、回動規制部材の回動によって被当接部を変位させる構成、第１の変位規制部材の回動によって第１の当接部を変位させる構成、および第２の変位規制部材の回動によって第２の当接部を変位させる構成を採用する場合には、これらの部材を回動させる広いスペースが必要となるのに対し、回動規制部材（規制部材１２）、第１の変位規制部材および第２の変位規制部材（規制部材１６）をある程度薄厚に形成することで、これらのスライドに要するスペースを十分に狭くすることができるため、ドアロック装置１を十分に小形化することができる。
【００５８】
また、このドアロック装置１によれば、矢印Ｃ１，Ｃ２の方向に沿ってケーシング１０に対してスライド可能にケーシング１０に取り付けられて付勢部材１４による付勢力を掛止部材１１に伝達する付勢力伝達部材１５を備えたことにより、「第１の付勢部材」が、「掛止位置」に「爪部」を位置させた状態を維持できる十分な付勢力を有している必要があることから小さな「付勢部材」で構成するのが困難であるため、「付勢力伝達部材」を介さずに「第１の付勢部材」によって「掛止部材」を直接付勢する構成を採用する場合には、「掛止部材」の近傍に大きな「付勢部材（第１の付勢部材）」を配置することに起因して「ドアロック装置」の小形化が困難となるのに対し、付勢力伝達部材１５の存在により、掛止部材１１から付勢部材１４を離間させて配置することができるため、ドアロック装置１の大形化を招くことがない任意の位置に付勢部材１４を配置することができる結果、ドアロック装置１を十分に小形化することができる。
【００５９】
さらに、このドアロック装置１によれば、凹部３１の内壁部３１ｂを「回動許容位置」に位置させるように規制部材１２を付勢する付勢部材１３を備えたことにより、被掛止部材２が掛止部材１１によって掛止されていない状態において凹部３１の内壁部３１ｂを「回動許容位置」に位置させた状態を維持することができるため、ケーシング１０内で規制部材１２にがた付きが生じる事態を好適に回避できるだけでなく、ドアを閉めた際にドアロック装置１に対する被掛止部材２の進入が内壁部３１ｂによって妨げられることがないため、スムーズにドアを閉めることができる。
【００６０】
また、このドアロック装置１によれば、「第１の変位規制部材」および「第２の変位規制部材」を一体化した規制部材１６を備えたことにより、「第１の変位規制部材」および「第２の変位規制部材」を別個に形成した構成とは異なり、両者を一体化した規制部材１６を移動させる１つの動力源（本例では、アクチュエータ１８）を備えるだけで、当接部４１，４２の双方を任意の位置に変位させることができる。これにより、ドアロック装置１を一層小形化することができると共に、その製造コストを十分に低減することができる。
【００６１】
なお、「家電製品用ドアロック装置」の構成は、上記のドアロック装置１の構成に限定されない。例えば、例えば、軸線Ｌ２を回動中心として回動させられることで「掛止位置」および「解除位置」に爪部２２を変位させることができる掛止部材１１を備えた構成を例に挙げて説明したが、このような構成に代えて、「第１の方向」と交差する任意の方向にスライドさせられることで「掛止位置」および「解除位置」に「爪部」を変位させることができる「掛止部材」を備えて「家電製品用ドアロック装置」を構成することもできる（図示せず）。
【００６２】
また、矢印Ｃ１，Ｃ２の方向に沿ってスライドさせられることで「回動規制位置」および「回動許容位置」に凹部３１の内壁部３１ｂを変位させることができる規制部材１２を備えた構成を例に挙げて説明したが、このような構成に代えて、被掛止部材２が接離させられる矢印Ａ１，Ａ２の方向と交差する任意の方向（一例として、軸線Ｌ１と平行な方向）を回動中心として「ベース部材」に対して回動させられることで「回動規制位置」および「回動許容位置」に「被当接部」を変位させることができる「回動規制部材」を備えて「家電製品用ドアロック装置」を構成することもできる（図示せず）。
【００６３】
さらに、矢印Ｄ１，Ｄ２の方向に沿ってスライドさせられることで「第１の変位規制位置」および「第１の変位許容位置」に当接部４１を変位させることができる規制部材１６を備えた構成を例に挙げて説明したが、このような構成に代えて、任意に規定した軸線を回動中心として回動させられることで「第１の変位規制位置」および「第１の変位許容位置」に「第１の当接部」を変位させることができる「第１の変位規制部材」を備えて「家電製品用ドアロック装置」を構成することもできる（図示せず）。
【００６４】
また、矢印Ｄ１，Ｄ２の方向に沿ってスライドさせられることで「第２の変位規制位置」および「第２の変位許容位置」に当接部４２を変位させることができる規制部材１６を備えた構成を例に挙げて説明したが、このような構成に代えて、任意に規定した軸線を回動中心として回動させられることで「第２の変位規制位置」および「第２の変位許容位置」に「第２の当接部」を変位させることができる「第２の変位規制部材」を備えて「家電製品用ドアロック装置」を構成することもできる（図示せず）。
【００６５】
さらに、「第１の変位規制部材」および「第２の変位規制部材」を一体化した規制部材１６を備えた構成を例に挙げて説明したが、このような構成に代えて、「第１の変位規制部材」および「第２の変位規制部材」を別体に形成し、別個独立して「第１の当接部」および「第２の当接部」を変位させる構成を採用することもできる（図示せず）。また、付勢部材１４の付勢力を付勢力伝達部材１５によって掛止部材１１に伝達することで「掛止位置」に爪部２２を位置させる構成を例に挙げて説明したが、このような構成に代えて、「第１の付勢部材」によって「掛止部材」を直接付勢することで「掛止位置」に「爪部」を位置させる構成を採用することもできる（図示せず）。
【００６６】
また、凹部３１の内壁部３１ｂを「回動許容位置」に位置させるように規制部材１２を付勢する付勢部材１３を備えた構成を例に挙げて説明したが、「第２の付勢部材」を配設せずに「家電製品用ドアロック装置」を構成することもできる。加えて、家電製品としての洗濯機に搭載する構成を例に挙げて説明したが、洗濯機以外の各種の家電製品（一例として、食洗機、乾燥器および加熱器）のドアをロック可能に構成することができる。
【符号の説明】
【００６７】
１  ドアロック装置
２  被掛止部材
２ａ  先端部
２ｈ  孔
１０  ケーシング
１１  掛止部材
１２，１６  規制部材
１３，１４，１７  付勢部材
１５  付勢力伝達部材
１８  アクチュエータ
１９  検出用スイッチ
２１  回動軸
２２  爪部
２３  延出部
３１  凹部
３１ａ，３１ｂ  内壁部
３２  切欠き部
４１，４２  当接部
Ａ１，Ａ２，Ｂ，Ｃ１，Ｃ２，Ｄ１，Ｄ２，Ｅ１，Ｅ２，Ｆ１，Ｆ２  矢印
Ｌ１，Ｌ２  軸線
Ｈ  挿通孔
Ｐ１，Ｐ２  点
【図１】
0006594244.tif 000002
【図２】
0006594244.tif 000003
【図３】
0006594244.tif 000004
【図４】
0006594244.tif 000005
【図５】
0006594244.tif 000006
【図６】
0006594244.tif 000007
【図７】
0006594244.tif 000008
【図８】
0006594244.tif 000009
【図９】
0006594244.tif 000010
【図１０】
0006594244.tif 000011
【図１１】
0006594244.tif 000012
【図１２】
0006594244.tif 000013